(57)【要約】      （修正有）【課題】低背化に有利になり、構造の簡単な弾性端子を有するコネクタを提供する。 【解決手段】コネクタは、相手プラグを収容するための挿入開口を有するボディと、複数のスイッチ端子組と弾性端子とを含み、前記ボディに収容される複数のコンタクトとを含むコネクタにおいて、前記弾性端子が前記挿入開口の末端に配置されるとともに前記複数のスイッチ端子組の間に位置され、前記ボディに保持するための保持部と、前記保持部の上方に位置する接触部とを含む、相手プラグ。【選択図】図３
0003144085.tif 000002
【実用新案登録請求の範囲】
【請求項１】
相手プラグを収容するための挿入開口を有するボディと、
複数のスイッチ端子組と弾性端子とを含み、前記ボディに収容される複数のコンタクトと
を含むコネクタにおいて、
前記弾性端子が前記挿入開口の末端に配置されるとともに前記複数のスイッチ端子組の間に位置させられ、前記ボディに保持するための保持部と、前記保持部の上方に位置する接触部とを含み、相手プラグに接続するために前記接触部は前記挿入開口に突出していることを特徴とするコネクタ。
【請求項２】
前記弾性端子が複数のスイッチ端子組の下方に位置していることを特徴とする請求項１に記載のコネクタ。
【請求項３】
前記弾性端子が保持部の先端から折れ曲がって延出するように形成された弾性アームを有し、前記接触部が弾性アームに形成されることを特徴とする請求項１に記載のコネクタ。
【請求項４】
前記ボディには、前記弾性端子を収容するための溝が形成され、相手プラグの挿入方向で前記溝が水平的に配置されることを特徴とする請求項１に記載のコネクタ。 
【考案の詳細な説明】
【技術分野】
【０００１】
本考案は、ボディに形成されたプラグ挿入孔に沿って複数のコンタクトを備えているコネクタに関する。
【背景技術】
【０００２】
従来技術において、オーディオ器械に備えられるコネクタを例に挙げると、特許文献1のようにコネクタは、相手のプラグに嵌合するのに用いられ、ボディと、ボディに装着される複数のコンタクトとを有する。前記複数のコンタクトは、ボディの後端に配置される弾性端子を含み、該弾性端子は、垂直方向での平板状の保持部と、保持部の上下端からそれぞれ延出するように形成された挟み部及び半田付部とを有する。ボディには相手プラグを収容するための挿入開口と、前記弾性端子を収容するための保持溝が形成される。
【特許文献１】米国特許第６,２４４,９０５号明細書
【考案の開示】
【考案が解決しようとする課題】
【０００３】
相手プラグがコネクタの挿入開口に挿入される際に、前記弾性端子の挟み部がプラグの先端に挟むことによって、相手プラグをコネクタに安定して接続させる。しかしながら、前記弾性端子の構造が複雑なので、製造が難くなり、コストが高くなり、また、弾性端子の保持部の上下端からそれぞれ延出するように挟み部が形成されたので、弾性端子の高さが大きくなって、低背化に不利になるという問題点があった。上述した欠点に鑑みて、新型のコネクタを開発することが必要である。
【０００４】
本考案は、前記の問題点を鑑みてなされたもので、低背化に有利になり、構造の簡単な弾性端子を有するコネクタを提供することを目的とする。
【課題を解決するための手段】
【０００５】
本考案のコネクタは、相手プラグを収容するための挿入開口を有するボディと、複数のスイッチ端子組と弾性端子とを含み、前記ボディに収容される複数のコンタクトとを含むコネクタにおいて、前記弾性端子が前記挿入開口の末端に配置されるとともに前記複数のスイッチ端子組の間に位置され、前記ボディに保持されるための保持部と、前記保持部の上方に位置する接触部とを含み、相手プラグに接続するために前記接触部は前記挿入開口に突出していることを特徴とする。
【考案の効果】
【０００６】
従来技術に比べ、本考案は以下の利点を有する。すなわち、弾性端子の接触部が保持部の上方に位置するので、低背化に有利になり、弾性端子の構造が簡単になるので、製造が容易になり、コストが低減されている。
【考案を実施するための最良の形態】
【０００７】
以下、図1〜図５を参照して、本考案のコネクタの好ましい実施形態について、説明する。本考案のコネクタ１００は、ボディ１とボディ１に装着された複数のコンタクト２とを有する。
【０００８】
前記ボディ１は、方形状を呈する主体部材１０と、主体部材１０の先端から延出するように形成された嵌合部１５と、前記主体部材１０と嵌合部１５とを貫通するように形成された挿入開口１６とを有する。前記主体部材１０は、天板１１と、天板１１に対向した底板１２と、天板１１と底板１２とを連接するための側壁１３とを有する。
【０００９】
前記底板１２には挿入開口１６に連通する第１溝１２１が形成され、前記ボディ１の後端にはそれぞれ前方へ延出し、底板１２を貫通するとともに前記挿入開口１６に連通するための第２溝１２２、第３溝１２３、第４溝１２４、第５溝１２５、第６溝１２６、第７溝１２７が順に形成される。その中の第７溝１２７が相手プラグの挿入方向と平行に配置され、他の第２〜第６溝が相手プラグの挿入方向に直交するように配置される。主体部材１０の底板１２には、コネクタを回路基板（図示せず）に実装するための凸部１２８及び位置決め部１２９がそれぞれ形成される。
【００１０】
前記複数のコンタクト２は、第１〜第６端子２１、２２、２３、２４、２５、２６及び弾性端子２７を有する。前記第２端子２２と第３端子２３は第１スイッチ端子組を形成し、第４端子２４、第５端子２５、第６端子２６が第２スイッチ端子組を形成し、そのうち、第２端子２２と第３端子２３の間で接触/分離でき、第４端子２４と第５端子２５の間で接触/分離でき、第６端子２６は第４端子２４を左右方向に沿って移動させる作用を奏する。
【００１１】
前記第１端子２１は、ボディ１の第１溝１２１に収容されるように保持され、前記第１溝１２１に保持される保持部２１０と、保持部２１０の一端から折れ曲がって延出するように前記回路基板に半田付けられる半田付け部２１６と、保持部２１０の他端から折れ曲がって延出するように形成された接触部２１２とを有し、前記保持部２１０の両側には第１溝１２１に干渉し係合するための係合部２１３が形成され、接触部２１２には突出部２１５が形成される。
【００１２】
第２端子２２は、ボディ１の第２溝１２２に装着され、第２溝１２２に保持されるコ字形状の保持部２２０と、固持部２２０の中央部から延出するように形成された弾性アーム２２１と、保持部２２０の下端から折れ曲がって延出した半田付け部２２６と、前記弾性アーム２２１の末端に形成される接触部２２２とを有する。前記保持部２２０の両側には第２溝１２２に干渉し係合するための係合部２２３が形成され、前記弾性アーム２２１の接触部２２２に隣接した箇所には、挿入開口１６へ向く絶縁体２２５が設置される。
【００１３】
第３端子２３は、ボディ１の第３溝１２３に装着され、第３溝１２３に保持される保持部２３０と、保持部２３０の下端から折れ曲がって延出した半田付け部２３６と、保持部２３０の上下端が相手プラグの離脱方向に沿って延出するようにそれぞれ形成された保持アーム２３４とを有し、前記保持部２３０は第３溝１２３に干渉し係合するための係合部２３３を有し、保持部２３０の中部には突起２３５が形成される。該突起２３５が第２端子２２の接触部２２２に接触/分離することによって、第２端子２２と第３端子２３は第１スイッチ端子組を形成する。
【００１４】
第４端子２４は、ボディ１の第４溝１２４に装着され、第４溝１２４に保持される保持部２４０と、保持部２４０の一端から相手プラグの離脱方向に沿って延出する弾性アーム２４１と、保持部２４０の下端から折れ曲がって延出する半田付け部２４６とを有し、保持部２４０の上下端には第４溝１２４に干渉し係合するための係合部２４３が設けられ、前記弾性アーム２４１の末端には絶縁体２４５が設置される。
【００１５】
第５端子２５は、ボディ１の第５溝１２５に装着され、第５溝１２５に保持される保持部２５０と、保持部２５０の下端から折れ曲がって延出した半田付け部２５６と、保持部２５０から相手プラグの離脱方向に沿って延出するように形成された接触部２５１とを有し、前記保持部２５０の上下縁には第５溝１２５に干渉し係合するための係合部２５３がそれぞれ形成される。該接触部２５１が第４端子２４の弾性アーム２４１に接触/分離することによって、第４端子２４と第５端子２５は第２スイッチ端子組を形成する。
【００１６】
第６端子２６は、ボディ１の第６溝１２６に装着され、第６溝１２６に保持される保持部２６０と、保持部２６０の下端から折れ曲がって延出した半田付け部２６６と、保持部２３０の先端が相手プラグの離脱方向に沿って延出するように形成された弾性アーム２６１とを有し、前記保持部２６０の上下縁には第６溝１２６に干渉し係合するための係合部２６３が形成される。前記弾性アーム２６１の先端にはアーチ状を呈する接触部２６５が形成され、接触部２６５の末端には第４端子２４の絶縁体２４５に当接するための当接部２６７が形成される。
【００１７】
弾性端子２７は、ボディ１の第７溝１２７に装着され、第７溝１２７に保持される保持部２７０と、保持部２７０の先端から後向きへ折れ曲がって保持部２７０と略平行に延出するように形成された弾性アーム２７１と保持部２７０の後端から折れ曲がって延出するように形成された半田付け部２７６とを有する。保持部２７０の両側には第７溝１２７に干渉し係合するための係合部２７３が形成され、弾性アーム２７１の末端には前記挿入開口１６に突出する弧状の接触部２７５が形成される。
【００１８】
組み合わせる際において、先に、前記第１端子２１は、係合部２１３がボディ１の第１溝１２１に干渉し係合することにより第１溝１２１に保持され、保持部２１０の突起２１５が前記挿入開口１６に突出し、半田付け部２１６がボディ１の底板１２を突出している。第２端子２２と第３端子２３は、前記第２溝１２２及び第３溝１２３にそれぞれ保持され、第２端子２２が第３端子２３よりボディ１の側壁１３に隣接し、半田付け部２２６、２３６がボディ１の底板１２を突出し、第２端子２２の絶縁体２２５が挿入開口１６に突出している。第４端子２４、第５端子２５と第６端子２６がボディ１の第４端子１２４と、第５溝１２５と第６溝１２６とにそれぞれ保持され、半田付け部２４６、２５６、２６６がボディ１の底板１２をそれぞれ突出し、第６端子２６の接触部２６５が前記挿入開口１６に突出している。最後に、弾性端子２７が第７溝１２７に保持され、接触部２７５が挿入開口１６に突出し、相手プラグに接続している。図３を参照すると、相手プラグの離脱方向で、前記第１端子２１が最先端に位置し、第１スイッチ端子組である第２端子２２及び第３端子２３、弾性端子２７が最後端に位置し、第２スイッチ端子組である第４端子２４、第５端子２５、第６端子２６が中央部に位置する。
【００１９】
使用される際において、相手プラグがコネクタの挿入開口１６に挿入されて、プラグの先端が第６端子２６の弾性アーム２６１に当接し、弾性アーム２６１の当接部２６７を第４端子２４の絶縁体２４５に当接することによって、第４端子２４の弾性アーム２４１が第５端子２５の接触部２５１と分離している。プラグが更に挿入されて、プラグの先端が第２端子２２の弾性アーム２２１の絶縁体２２５に当接することにより、弾性アーム２２１の接触部２２２が第３端子２３と分離するとともに、相手プラグの先端は弾性端子２７の接触部２７５に接続している。
【００２０】
前記弾性端子２７の弾性アーム２７１の長さは第２端子２２と第６端子２６の弾性アーム２２１、２６１より長いので、弾性端子２７の弾性変形抵抗力が第２端子２２と第６端子２６の弾性変形抵抗力より大きいことで、相手プラグが挿入開口１６に安定して保持される。また、相手プラグを完全に挿入した際に、第１端子２１の突起２１５がプラグの所定部分に嵌合することにより、操作者にはクリック感が与えられる。
【００２１】
以上本考案について最良の実施の形態を参照して詳細に説明したが、実施形態はあくまでも例示的なものであり、これらに限定されるものではない。また上述の説明は、本考案に基づきなしうる細部の修正或は変更など、いずれも本考案の請求範囲に属するものとする。
【図面の簡単な説明】
【００２２】
【図１】本考案に係るコネクタの組立斜視図である。
【図２】図１に示されたコネクタの他の角度から見た斜視図である。
【図３】本考案に係るコネクタの部分の断面図である。
【図４】本考案に係るコネクタの他の角度から見た分解斜視図である。
【図５】図４に示すコネクタの他の角度から見た分解斜視図である。
【符号の説明】
【００２３】
１００  コネクタ
１  ボディ
１０  主体部材
１１  天板
１２  底板
１３  底壁
１５  嵌合部
１６  挿入開口
１２１  第１溝
１２２  第２溝
１２３  第３溝
１２４  第４溝
１２５  第５溝
１２６  第６溝
１２７  第７溝
１２８  凸部
１２９  位置決め部
２  コンタクト
２１〜２６  第１〜第６端子
２７  弾性端子
２１０〜２７０  保持部
２１３〜２７３  係合部  
２１６〜２７６  半田付け部
２１２、２２２、２６５、２７５  接触部
２１５  突出部
２２１、２４１  弾性アーム
２２５  絶縁体
２３５  突起
２６７  当接部 
【図１】
0003144085.tif 000003
【図２】
0003144085.tif 000004
【図３】
0003144085.tif 000005
【図４】
0003144085.tif 000006
【図５】
0003144085.tif 000007